(57)【特許請求の範囲】
【請求項１】
操作ハンドルを備える遊技機の下部に取り付けられ、遊技者側に向け水平方向に延設されたアーム部と、前記アーム部に前後方向に沿ってスライド可能に配置され、前記遊技機の遊技者が腕を置くことが可能な腕置部とを備えた遊技機用腕置装置において、
遊技者が着席又は離席するために前記腕置部を前記遊技機側に移動させた際に、前記腕置部の前記遊技機側先端部が前記操作ハンドルの下方に配置できるように前記腕置部の前端部を後端部よりも下方となるように傾斜させて形成し、
前記腕置部は、腕置部本体と、この腕置部本体の腕置面を延長する延長部材とを備え、
前記延長部材は、前記腕置部本体の遊技機側または反遊技機側のいずれかに配置可能に前記腕置部本体に回転動可能に設けられていることを特徴とする遊技機用腕置装置。
【請求項２】
前記延長部材は、前記腕置部本体を水平方向で挟む２本の支持部材の一端に接続され、前記２本の支持部材の他端は前記腕置部本体の両側にそれぞれ回転可能に軸支されていることを特徴とする請求項１に記載の遊技機用腕置装置。
【請求項３】
前記腕置部は、前記アーム部に前記腕置部を前記アーム部に対して配置高さを調整可能に接続されていることを特徴とする請求項１又は請求項２に記載の遊技機用腕置装置。
【請求項４】
前記アーム部は、前記遊技機に水平方向に回動可能に配置されていることを特徴とする請求項１から請求項３のいずれか１項に記載の遊技機用腕置装置。
【請求項５】
前記アーム部は、前記遊技機に取り外し可能に取り付けられることを特徴とする請求項１から請求項４のいずれか１項に記載の遊技機用腕置装置。
【発明の詳細な説明】
【技術分野】
【０００１】
本発明は、パチンコ遊技機等の遊技機に取り付けられ、遊技時に遊技者が腕を置くことができる遊技機用腕置装置に関する。
【背景技術】
【０００２】
パチンコ遊技機に代表される遊技機では、遊技用の操作ハンドルは、遊技機の下端部よりやや上方の右側に配置されている。遊技者は、遊技機前側に配置された椅子に腰を掛け、右手で操作ハンドルを操作する。
【０００３】
また、遊技機の下側には、遊技球を収納する遊技球収納箱等を載置するため、テーブルが取り付けられている。このテーブルは、遊技球収納箱を載置するための幅寸法が確保されているにすぎない。このため、操作ハンドルを右手で握った状態ではテーブルに腕を載置することはできず、遊技中は長時間にわたり、腕を浮かせた状態となる。
【０００４】
遊技機がパチンコ遊技機の場合、遊技時間が数時間という長時間にわたることがあり、操作ハンドルを握ったままの状態で長時間遊技を続けると腕が疲労する。また、腕が疲労した場合には、足を組み、太もも等に肘を載置することもあるが、この場合、体が不自然な姿勢となり、腰痛や背痛等の原因ともなりうる。
【０００５】
このような不具合を解決するため、遊技者が遊技中に腕を置くことができる遊技機用腕置装置が提案されている。この遊技用腕置装置は、遊技機にアームを配置し、このアームに遊技者の右腕を乗せることができる腕置部を前後方向に延設したものである。また、遊技機用腕置装置では、腕置部を遊技装置に対して前後方向にスライド可能として、遊技者の好みに合わせて腕置部を位置変更可能にして、遊技者の快適性を向上させている。さらに、腕置部を遊技機側にスライドさせて移動させることにより、遊技者が離席したとき、腕置き部の通路側への飛び出し量を減少させ、遊技者の移動を邪魔しないようにできる。
【０００６】
特許文献１には、このような遊技機用腕置装置としてアームレスト装置が提案されている。このアームレスト装置は、取り付け金具、スライド受板、収納受板より形成される取ろ付け金具ユニットと取り付けねじ、アームレスト（腕置部）とクッションで構成されおり、アームレストはクッション収納保持室、通常使用時に機能する第１のスライド溝部およびロック部、収納時に機能する第２のスライド溝部およびＰ．Ｏ．Ｐ装着部が樹脂成形部材で一体成型されている。
【特許文献１】実用新案登録第３１６６５５１号公報参照
【発明の開示】
【発明が解決しようとする課題】
【０００７】
しかし、従来の遊技機用腕置装置では、腕置部を遊技機に対して前後方向にスライドできるように構成されているが、その可動範囲が限られるという問題がある。図６は従来の遊技機用腕置装置の不具合を示す模式図である。図６（a）に示すように、遊技機１には、操作ハンドル２、テーブル３が配置されている。
【０００８】
また、テーブル３には、遊技機用腕置装置４が取り付けられている。遊技機用腕置装置４は、テーブル３に取り付けられたアーム５と、アーム５に前後方向（図５中左右方向）スライド可能に取り付けられた腕置部６とを備える。このような遊技機用腕置装置４では、図６（ｂ）に示すように、腕置部６を遊技機１側にスライドさせると、腕置部６の遊技機１側の端部が操作ハンドル２に接触してしまう。このため、腕置部６を十分に遊技機１側に移動できない。このように腕置部６を遊技機１側に移動できないと、遊技者の移動の妨げになる。
【０００９】
そこで、本発明の課題は、上述した課題に解決し、遊技機用腕置装置の腕置部を十分に遊技機側にスライドさせることができると共に遊技者が遊技機の操作ハンドルを把持した状態で肘を置きやすい遊技機用腕置装置を提供することにある。
【課題を解決するための手段】
【００１０】
前記課題を解決する請求項１に記載の発明は、操作ハンドルを備える遊技機の下部に取り付けられ、遊技者側に向け水平方向に延設されたアーム部と、前記アーム部に前後方向に沿ってスライド可能に配置され、前記遊技機の遊技者が腕を置くことが可能な腕置部とを備えた遊技機用腕置装置において、遊技者が着席又は離席するために前記腕置部を前記遊技機側に移動させた際に、前記腕置部の前記遊技機側先端部が前記操作ハンドルの下方に配置できるように前記腕置部の前端部を後端部よりも下方となるように傾斜させて形成し、前記腕置部は、腕置部本体と、この腕置部本体の腕置面を延長する延長部材とを備え、前記延長部材は、前記腕置部本体の遊技機側または反遊技機側のいずれかに配置可能に前記腕置部本体に回転動可能に接合されていることを特徴とする。
【００１１】
本発明によれば、腕置部を遊技機側にスライドしたとき、腕置部の遊技機側先端部が操作ハンドルの下側に配置されるので、腕置部を遊技機に近接した位置まで一杯にスライドさせて腕置部の飛び出し寸法を小さくでき、離席時及び着席時における遊技者の移動を妨げることがない。
また、腕置部の腕置部を遊技者側にスライドさせ、遊技者が肘を置いて遊技を行った場合には、腕置部の遊技機側先端部が後端部よりも下方になるように腕置部全体が遊技機に向かって斜めに傾斜して配置されることから、遊技者が下方に配置される遊技機のハンドルを把持した状態で下腕部を置きやすい。
さらに、本発明によれば、延長部材を腕置部本体の遊技機側または反遊技機側のいずれかに選択して配置することができるので、腕を乗せることができる領域を延長でき、遊技者の腕を良好に保持できる。また、この延長部材を遊技者の選択によって腕置部本体の遊技機側または反遊技機側のうち遊技者が望む側に設定できる。さらに、延長部材を遊技機側に設定して腕置部を遊技機側にスライドさせると、延長部が操作ハンドルの下側に配置されて遊技機用腕置装置が遊技機から飛び出る寸法を小さくすることができる。このため、離席時及び着席時における遊技者の移動を妨げることがない。一方、延長部を反遊技機側に設置すれば、遊技機のテーブルにスペースを確保でき、遊技球収納箱等を載置するときに邪魔にならない。
【００１２】
同じく請求項２に記載の発明は、請求項２に記載の遊技機用腕置装置において、前記延長部材は、前記腕置部本体を水平方向で挟む２本の支持部材の一端に接続され、前記２本の支持部材の他端は前記腕置部本体の両側中央部にそれぞれ回転可能に軸支されていることを特徴とする。
【００１３】
本発明によれば、延長部材は腕置部本体を挟む２本の支持部材で腕置部本体に軸支されているので、腕置部の上面に支持部材が飛び出ることがなく、遊技者は支持部材に接触することなく腕を腕置部上に置くことができる。
【００１４】
同じく請求項３に記載の発明は、請求項１から請求項３のいずれか１項に記載の遊技機用腕置装置において、前記腕置部は、前記アーム部に前記腕置部を前記アーム部に対して配置高さを調整可能に接続されていることを特徴とする。
【００１５】
本発明によれば、腕置部はアーム部材に高さ調整可能に配置されるので、遊技者は腕置部を、楽な姿勢をとることができる所望の高さ位置に設定できる。
【００１６】
同じく請求項４に記載の発明は、請求項１から請求項４のいずれか１項に記載の遊技機用腕置装置において、前記アーム部は、前記遊技機に水平方向に回動可能に配置されていることを特徴とする。
【００１７】
本発明によれば、アーム部材は遊技機に対して水平方向に回動可能に配置されているので、遊技者は腕置部を、楽な姿勢をとれる所望の水平方向回動位置に設定できる。
【００１８】
同じく請求項５に記載の発明は、請求項１から請求項５のいずれか１項に記載の遊技機用腕置装置において、前記アーム部は、前記遊技機に取り外し可能に取り付けられることを特徴とする。
【００１９】
本は発明によれば、遊技機のメンテナンス等、遊技機用腕置装置が作業の邪魔になるとき自由に遊技機用腕置装置を遊技機から取り外すことができ、また所望のときに遊技機用腕置装置を遊技に取り付けることができる。
【発明の効果】
【００２０】
請求項１〜５記載の発明に係る遊技機用腕置装置によれば、腕置部の腕置部を遊技機側にスライドしたとき、腕置部の遊技機側先端部が操作ハンドルの下側に配置されるので、腕置部を遊技機に近接した位置まで一杯にスライドさせて腕置部の飛び出し寸法を小さくでき、着席時及び離席時における遊技者の移動を妨げることがない。従って、遊技者は着座及び離席動作を制約されることなく自由に行うことができる。
また、腕置部の腕置部を遊技者側にスライドさせ、遊技者が肘を置いて遊技を行った場合には、腕置部の遊技機側先端部が後端部よりも下方になるように腕置部全体が遊技機に向かって斜めに傾斜して配置されることから、遊技者は腕置部に肘を置いた場合には下椀部を、手首を肘よりも下方に配置でき、操作ハンドルを把持しやすくなることから、長時間連続して遊技を行っても疲れにくい、という効果を奏することができる。
さらに、請求項１記載の発明に係る遊技機用腕置装置によれば、延長部材を腕置部本体の遊技機側または反遊技機側のいずれかに選択して配置することができるので、腕を乗せることができる領域を延長でき、遊技者の腕を良好に保持できる。
また、上記延長部材を遊技者の選択によって腕置部本体の遊技機側または反遊技機側のうち遊技者が望む側に設定でき、腕置部本体の反遊技機側に設定した場合には、遊技者はより余裕を持って肘をゆったりと置き、リラックスして遊技を楽しむことができる。また、腕置部本体の遊技機側に設定した場合には、請求項１の効果に更に加えて、離席時又は着席時に邪魔になることがなく、より使いやすい遊技機用腕置装置を提供することができる。
請求項３記載の発明にあっては、腕置部の高さの調節が可能となることから、請求項１〜２の効果に加えて、遊技者の体格にあわせて使用しやすい遊技機用腕置装置を提供することができる。
請求項４記載の発明にあっては、腕置部が水平方向に沿って回動しうることから、遊技者の遊技時の姿勢に合わせ、肘を置く水平方向の角度の変化に対応できる使いやすい遊技機用腕置装置を提供することができる。
請求項５記載の発明にあっては、着脱可能に形成されていることから、必要時には容易かつ迅速に取り外し保管することができると共に、必要時には容易に取り付けて使用することも可能となる。
【図面の簡単な説明】
【００２１】
【図１】本発明に係る遊技機用腕置装置の実施形態に係る遊技機用腕置装置およびその動作を示す側面図である。
【図２】同遊技機用腕置装置およびその動作を示す側面図である。
【図３】同遊技機用腕置装置の構成およびその動作を示す平面図である。
【図４】同遊技機用腕置装置の構成を示す図３中のＡ−Ａ線に相当する断面図である。
【図５】同遊技機用腕置装置のアーム部を一部拡大して示す斜視図である。
【図６】従来の遊技機用腕置装置の不具合を示す模式図である。
【発明を実施するための最良の形態】
【００２２】
以下本発明を実施するための形態に係る遊技機用腕置装置について説明する。
【００２３】
図１は本発明に係る遊技機用腕置装置の実施形態に係る遊技機用腕置装置およびその動作を示す側面図、図２は同遊技機用腕置装置およびその動作を示す側面図である。また、図３は同遊技機用腕置装置の構成およびその動作を示す平面図、図４は同遊技機用腕置装置の構成を示す図３中のＡ−Ａ線に相当する断面図、図５は同遊技機用腕置装置のアーム部を一部拡大して示す斜視図である。
【００２４】
図１に示すように、遊技機用腕置装置４０は、例えば、パチンコ遊技機である遊技機１０の下部に配置されるテーブル２０に取り外し可能に取り付けられている。遊技機１０の下部右側の表面側、すなわち遊技者側には、操作ハンドル３０が突出配置されている。テーブル２０は、遊技球を収納する収納箱等が載置できる奥行き寸法を備える。
【００２５】
本発明の実施形態に係る遊技機用腕置装置４０は、テーブル２０に配置され、遊技者側に向け水平方向に延設されたアーム部５０と、このアーム部５０に前後方向に沿ってスライド可能に配置され、前記遊技機の遊技者が肘を置くことが可能な腕置部６０とを備える。腕置部６０は、アーム部５０にスライド可能に接続された腕置部本体７０と、腕置部本体７０の腕置面７４延長する延長部材８０とを備えている。
【００２６】
延長部材８０は、遊技者等の操作により、腕置部本体７０の遊技機側（図１中左側）または反遊技機側（同右側）のいずれかに配置可能である。すなわち、延長部材８０は、図１（ｂ）および図４に示すように、腕置部本体７０の両側部に一対に回動可能似配設された２本の支持部材９０、９０の一端に接合され、腕置部本体の両側中央部に接合されている。ここで、支持部材９０、９０の他端は、腕置部本体７０の両側に軸部９１、９１で軸支される。また、延長部材８０は、反遊技機側または反遊技機側に設置したとき、腕置部本体７０の腕置面７４と同一面をなす形状をなす。
【００２７】
さらに、支持部材９０、９０は、腕置部本体７０の腕置面７４から飛び出さない形状とされる。このため、支持部材９０、９０が遊技者の腕に接触することはない。これにより、遊技者は、図１（ｂ）に示すように、延長部材８０を腕置部本体７０の遊技機側、反遊技機側のいずれか所望の位置に延長部材８０を配置できる。
【００２８】
また、腕置部本体７０は、遊技機１０側にスライドさせたとき、腕置部本体７０の遊技機用腕置装置４０側の先端が操作ハンドル３０の下側に配置できるように構成されている。
即ち、前記腕置部本体７０は、前記遊技機１０側に移動させた際に、前記腕置部本体７０の前記遊技機側先端部が前記操作ハンドルの下方に配置できるように前記腕置部の前端部６２を後端部６３よりも下方となるように傾斜させて形成されており、その結果、腕置部６０の上面６１を遊技機１０側に向けて下方に傾斜して配置できるように形成されている。
この例では、図１（ａ）に示すように、腕置部６０、すなわち腕置部本体７０および延長部材８０は、水平面Ｈに対して角度θだけ下方に傾斜するよう配置される。また、腕置部６０は、アーム部５０にこの角度θを変更しないようにスライド可能に取り付けられている。この角度θは、腕置部６０を遊技機側にスライドさせたとき、腕置部６０の先端が操作ハンドル３０の下側に配置できるよう、また遊技者は、操作ハンドルを把持した状態で楽に下腕部を腕置部６０上に載置できるようにすることができる。
【００２９】
したがって、腕置部６０を遊技機側にスライドしたとき、腕置部６０の先端が操作ハンドル３０の下側に配置されるので、腕置部６０を遊技機用腕置装置４０に近接した位置まで一杯にスライドさせて腕置部の飛び出し寸法を小さくできる。このため、離席時又は着席時における遊技者の移動を妨げることがない。
【００３０】
また、延長部材８０を腕置部本体７０の遊技機側または反遊技機側のいずれかに選択して配置することができるので、腕を置く領域を延長でき、遊技者の腕を良好に保持できる。さらに、この延長部材を遊技者の選択によって腕置部本体の遊技機側または反遊技機側のうち遊技者が望む側に設定できる。さらに、延長部材８０を遊技機用腕置装置４０側に設定して腕置部を遊技機側にスライドさせると、延長部が操作ハンドル１０の下側に配置されて遊技機用腕置装置４０が遊技機１０から飛び出る寸法を小さくすることができる。このため、遊技者の移動を妨げることがない。そして、延長部材８０を反遊技機１０側に設置すれば、遊技機用腕置装置４０のテーブル２０にスペースを確保でき、遊技球収納箱等を載置するときに邪魔にならない。
【００３１】
腕置部６０は、アーム部５０に配置高さを調整可能に配置されている。図４に示すように、腕置部本体７０は、腕載置部７１と、この腕載置部７１の下方に配置された支持部７２と構成される。腕載置部７１は、平板状に形成された支持部７２の上部７２ａにスライド可能に配置される。この腕載置部７１と支持部７２との間には公知のラチェット付きスライド機構が配置され、腕載置部７１を支持部７２に対して任意の位置にスライドさせて保持できる。
【００３２】
また、支持部７２の下端部７２ｂには腕置部６０の位置調整用の掛止片部７３が設けられる。一方、アーム部５０の遊技者側には、支持部７２を上下方向に移動可能に収納する受け部５１が形成される。受け部５１の内部遊技機側面には、上下方向に沿って、掛止片部７３が掛止される複数、例えば５つの段部５２が形成される。
【００３３】
受け部５１は、支持部７２を遊技者側に向かって所定角度傾斜し、かつ、所定の２つの姿勢に保持する。第１の姿勢は、腕置部６０に腕の荷重をかけたときの姿勢である。この姿勢では、支持部７２の上部がやや後方（遊技者側）に傾き、掛止片部７３は段部５２に掛止する方向に移動する。これにより、支持部７２の掛止片部７３は所定位置の段部５２に接触して、支持部７２の高さ位置が定まる。この状態の腕置部本体７０を図４において実線で示した。
【００３４】
第２の姿勢は、腕置部６０に対して腕の荷重を解除して支持部７２の上部を反対側（遊技機側）に傾けた場合である。この状態で、支持部７２の掛止片部７３は、段部５２との掛止状態が解除され、支持部７２が上下方向に移動可能となる。この状態の支持部７２を図４において破線で示した。これにより、腕置部６０をアーム部５０に対して任意の高さ位置に移動して固定できる。このため、遊技者は腕置部６０を所望の高さ位置に設定できる。
【００３５】
また、アーム部５０は、テーブル２０に水平方向に回動可能に固定されている。図３および図５に示すように、アーム部５０は、テーブル２０に取り付けられる固定部１００に軸Ｏを中心にして水平面内で回動可能に配置されている。また、固定部１００には軸Ｏを中心として所定角度φを挟む２つの接触面５４、５５を備えた回動規制部５３を備える。さらに、固定部１００には、接触面５４、５５に接触する規制面１０１を備える。このため、アーム部５０は、軸Ｏを中心として、接触面５４、５５が規制面１０１に接触する範囲で、平面内において中央位置から所定の角度（（π−φ）／２））の範囲で両側に回動できる。図３において、中央位置の腕置部６０を実線で、両側に回動した腕置部６０を破線で示した。このため、遊技者は腕置部６０を、楽な姿勢をとれる所望の水平方向回動位置に設定できる。
【００３６】
さらに、固定部１００は、テーブル２０に固定された係合部１１０に取り外し可能に取り付けられる。係合部１１０は、テーブル２０に木ねじ２１で固定される。本例では、図４に示すように、固定部１００は、遊技機側にフック部材１０２を備え、係合部１１０は、遊技者側に受け側フック部材１１１を備える。フック部材１０２は上側に向けて湾曲形成され、受け側フック部材１１１は下側に向けて湾曲形成されている。固定部１００のフック部材１０２と係合部１１０の受け側フック部材１１１とを係合させ、固定部１００を係合部１１０に固定する。
【００３７】
固定部１００と係合部１１０の固定および固定解除は以下のように行う。まず、固定部１００を係合部１１０に固定するには以下のようにする。アーム部５０および固定部１００を鉛直方向に立てた状態として、フック部材１０２を受け側フック部材１１１に掛け、固定部１００およびアーム部５０を水平方向に回転移動する。この動作により、フック部材１０２が受け側フック部材１１１にかみ合い、固定部１００およびアーム部５０は、テーブル２０上に固定される。
【００３８】
固定解除は、固定部１００およびアーム部５０の遊技者側を持ち上げ、略鉛直状体とする。これにより、フック部材１０２は受け側フック部材１１１から外れ、固定部１００およびアーム部５０を係合部１１０から取り外すことができる。このため、遊技機用腕置装置４０のメンテナンス等、遊技機用腕置装置４０が作業の邪魔になるとき自由に遊技機用腕置装置４０を遊技機から取り外すことができ、また所望のときに遊技機用腕置装置４０を遊技に取り付けることができる。
【００３９】
なお、係合部１１０の受け側フック部材１１１が遊技機１０の前蓋（図示していない）の内側に配置しておけば、遊技機１０の前蓋を開いた状態でしか固定部１００の係合部１１０への固定および固定解除できない。
【産業上の利用可能性】
【００４０】
本発明は、パチンコ遊技機、スロットマシン、その他の遊技機に設置される遊技機用腕置装置に適用可能である。
【符号の説明】
【００４１】
１０：遊技機
２０：テーブル
３０：操作ハンドル
４０：遊技機用腕置装置
５０：アーム部
５１：受け部
５２：段部
５３：回動規制部
５４：接触面
５５：接触面
６０：腕置部
６１：上面
７０：腕置部本体
７１：腕載置部
７２：支持部
７３：掛止片部
７４：腕置面
８０：延長部材
９０：支持部材
９１：軸部
１００：固定部
１０１：規制面
１０２：フック部材
１１０：係合部
１１１：受け側フック部材
【図１】
0006026991.tif 000002
【図２】
0006026991.tif 000003
【図３】
0006026991.tif 000004
【図４】
0006026991.tif 000005
【図５】
0006026991.tif 000006
【図６】
0006026991.tif 000007